(57)【要約】      （修正有） 【課題】 内燃機エンジンやボイラ等の燃焼装置に供給する燃料石油を、磁界内を通過させ磁気処理して効率的に燃焼させ、燃費の向上による省エネと有害な排気ガスを防止する装置において、より強力な磁力線によって効率的に燃料石油を磁化する手段を提供する。【解決手段】  磁気処理する磁石を直流電源とソレノイドコイル１１及びコア１２を組み合わせた電磁石とし、適正な電圧を加えることにより通電する電流を設定し強力な電磁石としてその磁界と垂直な方向に燃料石油を流し、磁気処理して燃焼装置８に供給するように構成した。  【選択図】  図２
2006105443.tif 000002
【特許請求の範囲】
【請求項１】
燃料タンク（９）から燃焼装置（８）に供給する燃料石油の供給回路に、電磁石により異なる極性の磁極を対抗させ発生する磁力線が燃料石油の流れに直交するように配置されたことを特徴とする燃料石油の磁気処理装置。
【請求項２】
電磁石が直流電源と直列に抵抗器（７）を配置し、抵抗器の抵抗値を変化させることにより電流値を変化させ、磁気処理能力を変化するように構成した請求項１に記載の燃料石油の磁気処理装置。
【請求項３】
電磁石により磁気処理された燃料石油を、燃焼装置（８）に供給する直前に分岐して再び磁気処理する還流路（２５）を設けたことを特徴とする請求項１に記載の燃料石油の磁気処理装置。
【発明の詳細な説明】
【技術分野】
【０００１】
この発明は、ガソリンエンジンやディ−ゼルエンジン或いはボイラ等の燃焼装置（８）で使用する燃料を磁場空間を通過させて磁気処理を施し、燃料消費率や排気ガスを改良するための燃料石油の磁気処理装置に関する。  
【背景技術】
【０００２】
内燃機関や燃焼装置（８）の燃料（ガソリン、灯油、軽油、重油等）を磁気処理することにより、燃料特性の向上を図ることが行われている。
この燃料の磁気処理は、燃料の成分中の炭化水素が活性化され、微粒子特性の向上と相まって燃料特性が向上するものと考えられている。
この種の燃料の磁気処理装置としては、例えば、環状永久磁石を複数個重ねて配置し、この磁石の周囲に軸方向に燃料を通過させる流路を形成し、該永久磁石による磁界によって流路内を通過する燃料を磁気処理するようにして燃料特性の向上を図る装置が知られている。
そしてこれらの磁気処理装置において、通過する燃料にいかに強い磁力を作用させるかという工夫がなされている。
しかしながら在来の磁気処理装置はすべて永久磁石による磁力線によって通過する燃料を磁化するものでありその作用及び効果は固定的であり強力な磁化は出来なかった。  
【発明の開示】
【発明が解決しようとする課題】
【０００３】
本発明は永久磁石による在来の磁化装置よりもより強力な磁力線によって効果的に燃料石油を磁化するものであり、供給する磁力線を強力にするとともに燃焼する直前に燃料石油を適正な温度に昇温し、在来装置よりさらにより効率的な燃焼を可能とする磁気処理装置を提供することを課題とする。
【課題を解決するための手段】
【０００４】
本発明は外装ケーシング（２）と電磁石集団（３２）を用いた燃料油改善装置で、給油口（３）より流入した炭化水素集団粒子、即ち燃料油は外装ケーシング（２）内面と電磁石集団（３２）との間隙の燃料油流路を矢印方向に上昇進行する。
【０００５】
電磁石集団（３２）は隣接する単体電磁石がＮとＮ及びＳとＳのごとく互いに同極が向き合っているため互いに反発し合うとともに交番磁界となり磁束が高密度となる。
そのとき燃料油粒子は電磁石集団（３２）により構成される交番磁界の磁束を切る事により、電気的エネルギーを与えられることとなる。
この働きが繰り返し行なわれることにより、燃料分子の受ける電気的エネルギーは増大されイオン化が促進される。
【０００６】
また電磁石のソレノイドコイル（１１）を流れる電流によりソレノイドコイル（１１）自体とコア（１２）が発熱し、上記燃料原子団（分子）が熱伝導加熱され内燃機シリンダーやボイラ内等の燃焼装置（８）に噴射される。空気にふれた燃料分子の炭素原子は容易に酸素と結合し効率的に酸化作用を促進するので著しく燃焼が改善されることとなる。
また上記完全燃焼によりＣＯ、ＮＯＸ、ＨＣ、黒煙等の有害な廃棄ガスが減少する。
【発明の効果】
【０００７】
内燃機エンジンやボイラに供給する燃料石油を本発明磁気処理装置（１）を介して効率的に磁気処理することにより、燃料効率が向上し省エネ効果が達成されるとともに完全燃焼するため排気ガス中のＣＯ、ＨＣ、ＮＯＸ及び黒煙が低減される。
【０００８】
本発明の磁気処理装置（１）は在来の永久磁石による磁気処理に比較して、強制的に電流により励磁されるのでより強力な磁力線を発生させることが可能で、更に強力な上記効果が期待できる。
【０００９】
また本発明は電磁石による励磁であるため、その電流値を調整及び設定することが容易に可能で燃料石油の種類によって励磁の強弱を調整及び設定することが出来る。  
【００１０】
また本発明は電磁石による励磁であるため、その電流値を調整及び設定することが容易に可能で、電磁石による発熱を利用して燃料石油の温度を上昇させ適正な温度で燃焼装置に供給することが可能である。
【発明を実施するための最良の形態】
【００１１】
以下本発明の実施例を図面に基づいて説明する。ただし、以下に示す実施例は、本発明の技術思想を具体化するための一態様を例示するものであって、本発明は実施例のものに特定しない。
さらに、この明細書は特許請求の範囲を理解し易いように、実施例に示される部材に対応する番号を、「特許請求の範囲の欄」、および「課題を解決するための手段の欄」に示される部材に付記している。ただし特許請求の範囲に示される部材を、実施例の部材に特定するものでは決してない。
【実施例】
【００１２】
図１は本発明磁気処理装置（１）の実施例における鳥瞰図で、密閉構造の本体ケーシング（２）と後述の電磁石ソレノイドコイル（１１）に直流電圧を印加する電源としてのバッテリ（５）と給電線（１９）を示す。
図２は燃料石油をフィードポンプ（１５）によって燃料タンク（９）から上記本体ケーシング（２）底部給油口（３）に供給しケーシング（２）内の電磁石集団（３２）により磁化処理し、上部の排油口（４）から供給弁（１８）を介して内燃機やボイラー等の燃焼装置（８）に供給する流通経路を示す。
また排油口（４）から還流弁（２０）還流路（２５）を介して元の燃料タンク（９）に燃料を返還する回路も設けてある。
これは燃料石油を燃焼装置（８）に供給しながら一部を還流路（２５）を介して燃料タンク（９）に返還し再び電磁石群に供給して再度磁化処理するもので、常に一定量の還流を流すことによりさらに強力な磁化処理をするためである。
燃料石油の還流量は還流弁（２０）及び供給弁（１８）の開度を調整することにより決定される。また燃料タンク（９）からフィードポンプ（１５）方向への逆止弁（２４）は還流する燃料石油が燃料タンク（９）でなく直ちにフィードポンプ（１５）方向へ供給するためである。
【００１３】
電磁石集団（３２）は複数の単体電磁石を組み合わせ燃料油に強力な磁力線を供給するもので以下の構成とする。
１，図２において電磁石単体（１０）はリング形状のコア（１２）とその外側に配置するソレノイドコイル（１１）によって形成される。
２，コア（１２）は図７Ａで、Ｂ・Ｃに図示するようにリング形状の薄い軟鉄板（３１）の両面に絶縁塗料を塗布し、多数枚を同心に重ねて張り合わせて組み立てたものである。
【００１４】
３，ソレノイドコイル（１１）は図３に示すように電線素材を一定方向に多数回巻き線し束ねたもので、バッテリ（５）等の直流電源から可変抵抗（２８）を介して通電しフレミングの法則による磁力線を発生する。
【００１５】
４，図２に示す電磁石集団（３２）は上記電磁石単体（１０）を多数同心に重ね合わせ、その間に非磁性金属にて構成するスペーサ（１４）を介し固定シャフト（１３）にて一体的に組み立ててある。
【００１６】
５，重ね合わせる隣接する電磁石単体（１０）はスペーサ（１４）を挟んで互いにＮとＮ及びＳとＳのごとく同極になるように、図３に示すごとくソレノイドコイル（１１）の巻き方向を右巻きコイル（１７）と左巻きコイル（１６）を隣接させてある。直流電源バッテリ（５）から可変抵抗（２８）を介して各ソレノイドコイル（１１）は並列に接続され、一定の電流が流れ磁力線が発生する。この磁力線はソレノイドコイル（１１）の内側で同心のコア（１２）を励磁し、効率的で強力な電磁石単体（１０）を形成する。
【００１７】
６，上記隣接する電磁石単体の極は互いにＮとＮ及びＳとＳのごとく同極となり、反発し合うとともにその部分で磁力線が局部的に高密度に収束される。
【００１８】
７，図２においてＸ１及びＸ２の断面を図５に示す。またＹ１及びＹ２の断面を図４に示す。
図６は電磁石単体を同芯に複数個組み合わせる状況を示す鳥瞰図である。
電磁石群の上端及び下端にはスペーサ（１４）を配し、多数の電磁石単体を上端及び下端のスペーサ（１４）によって挟み両端にネジを刻設した固定シャフト（１３）とナットにより締め付け固定されている。  
【００１９】
８，図２及び図３において電磁石のソレノイドコイル（１１）に通電するためのリード線（３０）は、図の点線に示すごとくターミナル（２６）を介して接続しケーシング（２）から外部への給電線（１９）は封油グランド（６）を使用して密閉状態で引き出される。
ターミナル（２６）部が低電圧とはいえ電気的に露出するのは好ましくないので、リード線（３０）を接続したうえで電磁石集団（３２）全体を耐絶縁・耐熱性を備えた樹脂系塗料内に侵漬し固化固定するのがよい。  
【００２０】
９，上記のごとく一体的に固定した電磁石集団（３２）は密閉構造のケーシング（２）内へ収容し、ケーシング（２）上部開口部は排油口（４）及び封油グランド（６）を穿設した蓋（２３）にて密閉される。
固定シャフト（１３）上端部の短管スペーサ（１４）は電磁石集団（３２）全体の上部方向への移動を阻止し固定するものである。  
【００２１】
自動車エンジンまたはボイラ等の燃焼装置の運転時にコイルへのスイッチ（２９）を閉じ直流電圧を印加するとともに、フィードポンプ（１５）を運転し燃料タンク（９）内の燃料石油をケーシング（２）底部の給油口（３）から磁気処理装置（１）に供給する。
【００２２】
燃料石油は矢印のごとくケーシング（２）内を上部に移動するが、各単体電磁石の発生する磁力線を移動方向と垂直な方向にに受け励磁される。
電磁石集団（３２）を通過するに従って燃料石油はその成分中の炭化水素が活性化され、微粒子特性の向上と相まって燃料としての特性が向上する。
【００２３】
ケーシング（２）上部の排油口（４）からから供給弁（１８）を介して燃焼装置（８）に供給され、燃焼装置では磁化された燃料石油は完全燃焼し燃料効率が向上するとともに排気ガスの有害成分が軽減される。
【００２４】
排油口（４）から排出された燃料石油の一部は還流弁（２０）を介して還流路（２５）に流れ、再びフィードポンプ（１５）に供給されて磁気処理装置（１）により再度磁化される。
供給弁（１８）と還流弁（２０）の開度を調整することにより、上記再磁化する燃料石油の量を設定することが出来る。
【００２５】
コイルに流す電流値は電源バッテリ（５）と直列に接続された可変抵抗（２８）の値によって決定される。電流値が大なるほど励磁力が増加するが、また電磁石のコイルやコア（１２）の発熱が大きくなり温度が上昇する。
燃料石油の種類により適正な温度があり、可変抵抗（２８）の値を調整することにより適正温度に設定する。ただし可変抵抗（２８）はたびたび調整するものではなく、適正な油温となる電流値が判明すればその時点での抵抗値で固定すればよく、実質的には固定抵抗でよい。
電磁石は強力なほど磁化作用が大きく磁化効率は良くなるが、燃料の種類すなわちガソリン・軽油・重油によって適正な油温があり、その油温が許される範囲の上限内に設定しなければならない。
【産業上の利用可能性】
【００２６】
本発明は自動車・船舶・発電所を始め、燃料石油の熱エネルギーを使用する内燃機や外燃機すなわちボイラ等の燃焼装置に適用し、エネルギーの有効利用を促進しあわせてその有害な排気ガスを軽減する効果があり産業界への貢献は計り知れない。
【図面の簡単な説明】
【００２７】
【図１】本発明の磁気処理装置と電源部の外観鳥瞰図。
【図２】磁気処理装置の断面図と燃料石油の回路図。
【図３】電気回路図とコイルの鳥瞰図。
【図４】図２のＹ１、Ｙ２断面図。
【図５】図２のＸ１，Ｘ２断面図。
【図６】電磁石単体の組み立て鳥瞰図。
【図７】Ｃは軟鉄板単体、Ｂは２枚を重ねた軟鉄板を示し、Ａはコアの組み立て鳥瞰図。
【符号の説明】
【００２８】
１…磁気処理装置
２…ケーシング
３…給油口
４…排油口    
５…バッテリ    
６…封油グランド    
７…抵抗器    
８…燃焼装置    
９…燃料タンク
１０…電磁石単体  
１１…ソレノイドコイル  
１２…コア  
１３…固定シャフト  
１４…スペーサ  
１５…フィードポンプ  
１６…左巻きコイル
１７…右巻きコイル
１８…供給弁  
１９…給電線  
２０…還流弁  
２２…Ｏリング  
２３…蓋  
２４…逆止弁
２５…還流路
２６…ターミナル
２７…取り付け脚
２８…可変抵抗
２９…スイッチ
３０…リード線
３１…軟鉄板
３２…電磁石集団
【図１】
2006105443.tif 000003
【図２】
2006105443.tif 000004
【図３】
2006105443.tif 000005
【図４】
2006105443.tif 000006
【図５】
2006105443.tif 000007
【図６】
2006105443.tif 000008
【図７】
2006105443.tif 000009